(57)【要約】 【課題】記憶システムを構成する中継装置或いは記憶装置において、端末装置がメモリカードにデータを書き込んだ後も、このメモリカードに対する無線装置からのデータの読み書きを常に正常に行なえるようにすること。【解決手段】中継装置１は端末装置３からのメモリカード６へのデータの書き込み（ステップ５０２）が終了すると、これを検出する。その後無線装置２からメモリライト要求があると（ステップ４１２）、メモリカード６のデータが端末装置３により書き替えられたことを示す通知を無線装置２に送る（ステップ４２３）。これにより無線装置３はメモリデータリード要求（ステップ４１１）を出してメモリカード６からＦＡＴ情報を取得して最新のファイル管理データを取得し、以降、メモリカード６に対するデータの読み書きを常に正常に行うことができる。【選択図】図３
2007114998.tif 000002
【特許請求の範囲】
【請求項１】
着脱自在のメモリカードを装着し、このメモリカードに端末装置より有線インターフェースを介してファイルデータを読み書きする際の中継、或いは同メモリカードに無線装置より無線回線を介してファイルデータを読み書きする際の中継を行う中継装置であって、
前記端末装置の前記メモリカードへのファイルデータの書き込み終了を検出する検出手段と、
前記ファイルデータの書き込み終了が検出されると通知信号を発生し、これを前記無線回線を介して前記無線装置に伝送する通知手段とを具備し、
前記無線装置は前記通知信号を受信すると、前記メモリカードから前記無線回線を介してファイル管理データを取得することを特徴とする中継装置。
【請求項２】
前記通知手段は、前記ファイルデータの書き込み終了が検出されると、前記無線装置の前記メモリカードに対するアクセスとは拘りなく、直ちに前記通知信号を前記無線装置に送信することを特徴とする請求項１記載の中継装置。
【請求項３】
前記通知手段は、前記ファイルデータの書き込み終了が検出された後、前記無線装置の前記メモリカードに対するアクセス要求があると、前記通知信号を前記無線装置に送信することを特徴とする請求項１記載の中継装置。
【請求項４】
メモリデバイスを内蔵し、このメモリデバイスに端末装置より有線インターフェースを介してファイルデータが読み書きされ、或いは同メモリデバイスに無線装置より無線回線を介してファイルデータが読み書きされる記憶装置であって、
前記端末装置の前記メモリデバイスへのファイルデータの書き込み終了を検出する検出手段と、
前記ファイルデータの書き込み終了が検出されると通知信号を発生し、これを前記無線回線を介して前記無線装置に送信する通知手段とを具備し、
前記無線装置は前記通知信号を受信すると、前記メモリデバイスから前記無線回線を介してファイル管理データを取得することを特徴とする記憶装置。
【請求項５】
前記通知手段は、前記ファイルデータの書き込み終了が検出されると、前記無線装置の前記メモリデバイスに対するアクセスとは拘りなく、直ちに前記通知信号を前記無線装置に送信することを特徴とする請求項４記載の記憶装置。
【請求項６】
前記通知手段は、前記ファイルデータの書き込み終了が検出された後、前記無線装置の前記メモリデバイスに対するアクセス要求があると、前記通知信号を前記無線装置に送信することを特徴とする請求項４記載の記憶装置。
【請求項７】
着脱自在のメモリカードを装着する中継装置、前記メモリカードに有線インターフェース及び前記中継装置を介してファイルデータを読み書きする端末装置、前記メモリカードに無線回線及び前記中継装置を介してファイルデータを読み書きする無線装置を備える記憶システムであって、
前記中継装置は、前記端末装置の前記メモリカードへのファイルデータの書き込み終了を検出する検出手段と、
前記ファイルデータの書き込み終了が検出されると通知信号を発生し、これを前記無線回線を介して前記無線装置に伝送する通知手段とを具備し、
前記無線装置は前記通知信号を受信すると、前記メモリカードから前記無線回線を介してファイル管理データを取得することを特徴とする記憶システム。
【請求項８】
前記通知手段は、前記ファイルデータの書き込み終了が検出されると、前記無線装置の前記メモリカードに対するアクセスとは拘りなく、直ちに前記通知信号を前記無線装置に送信することを特徴とする請求項７記載の記憶システム。
【請求項９】
前記通知手段は、前記ファイルデータの書き込み終了が検出された後、前記無線装置の前記メモリカードに対するアクセス要求があると、前記通知信号を前記無線装置に送信することを特徴とする請求項７記載の記憶システム。
【請求項１０】
メモリデバイスを内蔵する記憶装置、前記メモリデバイスに有線インターフェース介してファイルデータを読み書きする端末装置、前記メモリデバイスに無線回線を介してファイルデータを読み書きする無線装置を備える記憶システムであって、
前記記憶装置は、前記端末装置の前記メモリデバイスへのファイルデータの書き込み終了を検出する検出手段と、
前記ファイルデータの書き込み終了が検出されると通知信号を発生し、これを前記無線回線を介して前記無線装置に送信する通知手段とを具備し、
前記無線装置は前記通知信号を受信すると、前記メモリデバイスから前記無線回線を介してファイル管理データを取得することを特徴とする記憶システム。
【請求項１１】
前記通知手段は、前記ファイルデータの書き込み終了が検出されると、前記無線装置の前記メモリデバイスに対するアクセスとは拘りなく、直ちに前記通知信号を前記無線装置に送信することを特徴とする請求項１０記載の記憶システム。
【請求項１２】
前記通知手段は、前記ファイルデータの書き込み終了が検出された後、前記無線装置の前記メモリデバイスに対するアクセス要求があると、前記通知信号を前記無線装置に送信することを特徴とする請求項１０記載の記憶システム。
【発明の詳細な説明】
【技術分野】
【０００１】
本発明は、メモリカードを端末装置に有線回線で接続すると共に無線装置に無線回線で接続するための中継装置或いは、端末装置に有線回線で接続される共に無線装置に無線回線で接続される記憶装置のいずれか一方を有する記憶システムに関する。
【背景技術】
【０００２】
従来より、フラッシュメモリを内蔵するメモリカード（例えばメモリースティック（商標）、ＳＤカード（商標）等）を、端末装置に有線回線で接続するか、或いは無線装置に無線回線で接続した後、端末装置或いは無線装置とメモリカード間でファイルデータの読み書きを行う中継装置が開発され、それを用いた「アダプタ装置及びメモリ装置」という発明名称の公知例がある（特許文献１）。
【０００３】
図８は上記した公知例で示された中継装置を用いた記憶システムの簡略構成を示したブロック図である。この記憶システムは、メモリカード６を着脱自在に装着する中継装置１、無線装置２及び端末装置３を有して構成され、中継装置１と端末装置３は有線インターフェース５により接続され、中継装置１と無線装置２は無線回線８で接続されている。
【０００４】
中継装置１のＲＦ機能部１１と通信制御機能部１２は、無線装置２と無線通信を行うためのＲＦ機能、及びベースバンド機能を有する。装置機能部１３は、通信制御機能部１２を制御して無線装置２との間で接続、切断処理を行う。また、装置機能部１３は、無線装置２から受信されたメモリカードに対する要求４１に対してメモリカード制御機能部１４を制御してメモリカード６からメモリデータを取得し、応答４２を構築して無線装置２に送信する。メモリカード制御機能部１４は、端末装置３と中継装置１との間における有線インターフェース５と同様のメモリカードインターフェース７を有し、端末装置３とメモリカード６との間でファイルデータを中継する。
【０００５】
無線装置２のＲＦ機能部２１と通信制御機能部２２は、中継装置１と無線通信を行うためのＲＦ機能、及びベースバンド機能を有する。ホスト機能部２３は、通信制御機能部２２を制御し、中継装置１に対して接続、切断処理を行う。また、ホスト機能部２３は、中継装置１との間でメモリデータに対する要求４１の送信、及び応答４２の受信を行い、送受信されたファイルデータに対してファイルの構築処理（ファイルシステム処理）を行う。またファイルを用いたアプリケーション処理を行う。
【０００６】
端末装置３は、メモリカード制御機能部３２から中継装置１を介してメモリカード６に対してファイルデータの読み書きを行う。端末機能部３１は、読み書きされたメモリデータに対してファイルシステム処理を行い、また、ファイルを用いたアプリケーション処理を行う。以上の動作により、端末装置３から中継装置１に対して書き込まれたファイルデータが、無線装置２によって非接触、または遠隔的に読み出し可能になる。また、無線装置２から中継装置１に対して非接触、または遠隔的に書き込まれたファイルデータが端末装置３によって読み出し可能になる。
【０００７】
図９は上記した公知例で示された記憶装置を用いた記憶システムの簡略構成を示したブロック図である。本例では、記憶装置４内にメモリデバイス（フラッシュメモリ）１６が固定的に装備されている点以外の構成は、図８に示したシステムと同様であり、同様の動作を行う。
【特許文献１】特開２００４−３３４００５号公報
【発明の開示】
【発明が解決しようとする課題】
【０００８】
上記のような従来の中継装置１及び記憶装置４では、端末装置３が中継装置１に装着されたメモリカード６、或いは記憶装置４内部のメモリデバイス16に対してファイルの読み込みを行う際に、端末装置３は、まず、ファイルシステムの初期処理として、ファイルのディレクトリ配置を示すテーブル情報(Fail Allocation Table: ＦＡＴ情報）を読み出す。さらに端末装置３からファイルを書き込む場合は、ファイルデータを書き込むとともにＦＡＴ情報を更新し、端末装置３とメモリカード６、或いはメモリデバイス１６との間でＦＡＴ情報の整合を保つ。
【０００９】
然るに、端末装置３によって前記メモリカード６、或いはメモリデバイス１６内のファイルデータ及びＦＡＴ情報が書き換えられた場合には、無線装置２はそのことを知ることができない。従って、無線装置２が持つＦＡＴ情報と、メモリカード６或いはメモリデバイス１６が持つＦＡＴ情報との整合が取れず、以降、無線装置２はメモリカード６或いはメモリデバイス１６に対してファイルデータを正しく読み書きできなくなるという問題がある。このような状況でファイルを正しく読み書きするために、無線装置２はファイルシステム処理を再起動し、ＦＡＴ情報を再取得する必要がある。
【００１０】
本発明は前記事情に鑑み案出されたものであって、本発明の目的は、端末装置がメモリカード又はメモリデバイスにファイルデータを書き込んだ後も、無線装置からのメモリカード又はメモリデバイスに対するファイルデータの読み書きを常に正常に行うことができる中継装置及び記憶装置を提供すると共に、これら中継装置或いは記憶装置のいずれか一方を有する記憶システムを提供することにある。
【課題を解決するための手段】
【００１１】
本発明は上記目的を達成するため、着脱自在のメモリカードを装着し、このメモリカードに端末装置より有線インターフェースを介してファイルデータを読み書きする際の中継、或いは同メモリカードに無線装置より無線回線を介してファイルデータを読み書きする際の中継を行う中継装置であって、前記端末装置の前記メモリカードへのファイルデータの書き込み終了を検出する検出手段と、前記ファイルデータの書き込み終了が検出されると通知信号を発生し、これを前記無線回線を介して前記無線装置に伝送する通知手段とを具備し、前記無線装置は前記通知信号を受信すると、前記メモリカードから前記無線回線を介してファイル管理データを取得する。
【００１２】
また、本発明は、メモリデバイスを内蔵し、このメモリデバイスに端末装置より有線インターフェースを介してファイルデータが読み書きされ、或いは同メモリデバイスに無線装置より無線回線を介してファイルデータが読み書きされる記憶装置であって、前記端末装置の前記メモリデバイスへのファイルデータの書き込み終了を検出する検出手段と、前記ファイルデータの書き込み終了が検出されると通知信号を発生し、これを前記無線回線を介して前記無線装置に送信する通知手段とを具備し、前記無線装置は前記通知信号を受信すると、前記メモリデバイスから前記無線回線を介してファイル管理データを取得する。
【００１３】
また、本発明は、着脱自在のメモリカードを装着する中継装置、前記メモリカードに有線インターフェース及び前記中継装置を介してファイルデータを読み書きする端末装置、前記メモリカードに無線回線及び前記中継装置を介してファイルデータを読み書きする無線装置を備える記憶システムであって、前記中継装置は、前記端末装置の前記メモリカードへのファイルデータの書き込み終了を検出する検出手段と、前記ファイルデータの書き込み終了が検出されると通知信号を発生し、これを前記無線回線を介して前記無線装置に伝送する通知手段とを具備し、前記無線装置は前記通知信号を受信すると、前記メモリカードから前記無線回線を介してファイル管理データを取得する。
【００１４】
また、本発明は、メモリデバイスを内蔵する記憶装置、前記メモリデバイスに有線インターフェース介してファイルデータを読み書きする端末装置、前記メモリデバイスに無線回線を介してファイルデータを読み書きする無線装置を備える記憶システムであって、前記記憶装置は、前記端末装置の前記メモリデバイスへのファイルデータの書き込み終了を検出する検出手段と、前記ファイルデータの書き込み終了が検出されると通知信号を発生し、これを前記無線回線を介して前記無線装置に送信する通知手段とを具備し、前記無線装置は前記通知信号を受信すると、前記メモリデバイスから前記無線回線を介してファイル管理データを取得する。
【００１５】
このように本発明では、中継装置或いは記憶装置において、端末装置がメモリカードやメモリデバイスにファイルデータを書き込むことを終了したら、これを検出して無線装置に通知（通知信号）し、この通知を受けた無線装置はメモリカードやメモリデバイスからファイル管理データ（例えばＦＡＴ情報）を取得して、常に最新のファイル管理データを持つようにすることにより、無線装置とメモリカードやメモリデバイスとの間のファイル管理データの整合性を常に維持するようにする。これにより、端末装置からのメモリカードやメモリデバイスに対するファイルデータの書き込み後も、メモリカードやメモリデバイスに対する無線装置のデータの読み書きを常に正常に行うことができる。
【発明の効果】
【００１６】
本発明によれば、中継装置或いは記憶装置において、端末装置がメモリカードやメモリデバイスにファイルデータを書き込むことを終了したら、これを検出して無線装置に通知（通知信号）し、この通知を受けた無線装置はメモリカードやメモリデバイスからファイル管理データ（例えばＦＡＴ情報）を取得して、常に最新のファイル管理データを持つようにすることにより、端末装置とメモリカードやメモリデバイスとの間のファイル管理データの整合性を常に維持することができるため、無線装置からのメモリカードやメモリデバイスに対するアクセス後も、メモリカードやメモリデバイスに対する端末装置のデータの読み書きを常に正常に行うことができる。
【発明を実施するための最良の形態】
【００１７】
（第１の実施の形態）
図１は、本発明の第１の実施形態に係る記憶システムの構成を示したブロック図である。但し、従来例と同様の部分は同一符号を付して説明する。記憶システムは、メモリカードを着脱自在に装着する中継装置１、無線装置２及び端末装置３を有して構成され、中継装置１と端末装置３は有線インターフェース５により接続され、中継装置１と無線装置２は無線回線８で接続されている。尚、中継装置１は例えば端末装置３に装着するメモリカードのアダプタの形態を採るものとする。
【００１８】
中継装置１は、無線装置２と無線通信を行うためのＲＦ機能を持つＲＦ機能部１１、無線装置２と無線通信を行うためのベースバンド機能を持つ通信制御機能部１２、通信制御機能部１２を制御して無線装置２との間で接続及び切断処理を行う装置機能部１３、無線装置２や端末装置３の要求に応じてメモリカード６に対してファイルデータの読み書きを行うメモリカード制御機能部１４を有している。
【００１９】
無線装置２は、中継装置１と無線通信を行うためのＲＦ機能を持つＲＦ機能部２１、中継装置１と無線通信を行うためのベースバンド機能を持つ通信制御機能部２２、この通信制御機能部２２を制御して中継装置１に対して接続及び切断処理を行ない、また、中継装置１との間でメモリデータ要求４１の送信及び応答４２の受信を行い、さらに送受信されたメモリデータに対してファイルの構築処理（ファイルシステム処理）を行うと共に、ファイルを用いたアプリケーション処理を行うホスト機能部２３を有している。
【００２０】
端末装置３は、メモリカード６に対して中継装置１を介してメモリデータの読み書きを行うメモリカード制御機能部３２、読み書きされたメモリデータに対してファイルシステム処理を行うと共に、ファイルを用いたアプリケーション処理を行う端末機能部３１を有している。
【００２１】
図２は、図１で説明される中継装置１内部のメモリカード制御機能部１４の詳細構成を説明するブロック図である。メモリカード制御機能部１４はデータリード／ライト機能部１４１、データ書き込み検知機能部１４２、スイッチ１４３を備えている。
【００２２】
データリード／ライト機能部１４１は、無線装置２からメモリカード６に対するデータのリード／ライト要求に対して、装置機能部１３とのインターフェース１００を介して、メモリカード６との間でデータのリード／ライト制御を行う。
【００２３】
データ書き込み検知機能部１４２は、無線装置２からメモリカード６に対するデータ書き込み検知機能が提供される機能部であり、端末装置３とメモリカード６との間でアクセスされるデータを取得し、データの書き込みを検知する。データ書き込みが検知された場合には、データリード／ライト機能部１４１に対し、通知１４０３を与える。
【００２４】
スイッチ１４３は、データリード／ライト機能部１４１からメモリカード６に対するインターフェース１４０１と、端末装置３からメモリカード６に対するインターフェース１４０２とを切り換え、メモリカード６と直結するインターフェース７と接続する。
【００２５】
以上の構成によって、データ書き込み検知機能部１４２は、データの書き込みを検知した場合に、データリード／ライト機能部１４１に対して通知１４０３を与える。データリード／ライト機能部１４１は、装置機能部１３とのインターフェース１００を介して装置機能部１３からデータのリード／ライト要求があった場合に、メモリカード６に対してデータのリード／ライトを行わず、上記したデータの書き込みを検知したことを装置機能部１３に応答する。これを受けた装置機能部１３は、所定の方式によって無線装置２に対し、データの書き込みを検知したことを通知する。
【００２６】
データの書き込み検知の方法については、端末装置３からメモリカード６に対するインターフェース５のディジタル制御信号を解析することによって行われる。通常、端末装置３からメモリカード６に対してデータのリード／ライトを行う場合には、コマンドによる制御が行われる。従って制御信号を解析し、データ書き込みを実行するコマンドを取得することによって、書き込み検知が行われる。
【００２７】
次に本実施形態の動作について説明する。上記構成の記憶システムでは、端末装置３から中継装置１に対して書き込まれたファイルデータが、無線装置２によって非接触、または遠隔的に読み出される。また、無線装置２から中継装置１に対して非接触、または遠隔的に書き込まれたファイルデータが端末装置３によって読み出される。その際に、端末装置３によりメモリカード６に対してファイルデータが書き込まれた後も、無線装置２がメモリカード６対してファイルデータの読み書きを常に正常に行えるようにするための機能を中継装置１のメモリカード制御機能部１４に備えている。
【００２８】
次に本実施形態の記憶システムの全体的な動作について図３のシーケンス図を参照して説明する。端末装置３はステップ５００で、自身、及び中継装置２に電源を投入する。電源投入後、端末装置３はステップ５０１で、ファイルシステム処理の初期処理としてメモリカード６からＦＡＴ情報を取得する。ＦＡＴ情報の番地はあらかじめ端末装置３側で把握されており、メモリカード６に対して番地を指定し、所定の単位でメモリデータの読み出しを行う。このとき中継装置２は、端末装置３とメモリカード６との間でメモリデータの読み出し中継をする。
【００２９】
ＦＡＴ情報を取得した端末装置３は、メモリカード６内のディレクトリ構成、ファイルの配置を把握する。ファイルを読み出す際は、ＦＡＴ情報を参照し、ファイルを構成するメモリデータを順次取得してファイルを構築する。メモリカード６にファイルを書き込む際には、ファイルを構成するメモリデータを順次書き込むと共に、更新されたＦＡＴ情報を構成するメモリデータをメモリカード６内に書き込む。
【００３０】
無線装置２から中継装置１を経由してメモリカード６にアクセスするためには、まず無線装置２と中継装置１との間で無線通信の接続処理を行う。本実施形態においては、無線通信方式については特に限定しないが、コネクション型の無線通信方式を前提とする。無線装置２はステップ４０１で、中継装置１に対して接続要求する。中継装置１はステップ４０２で、無線装置２に対して接続応答する。
【００３１】
無線装置２においてもファイルシステム処理の初期処理として中継装置１を介してメモリカード６からＦＡＴ情報を取得する。中継装置１と無線装置２との間では、メモリカード６内のメモリデータをリード／ライトするための要求及び応答の書式が規定されている。本件については、無線装置２はステップ４１１で、ＦＡＴ情報の番地を指定して中継装置１に対してメモリデータリード要求をする。中継装置２はステップ７０１で、要求を受け、メモリカード２から所定の番地のメモリデータを読み出す。そして中継装置２はステップ４２１で、メモリデータリード応答として読み出したメモリデータを無線装置２に送信する。
【００３２】
無線装置２はＦＡＴ情報を取得してメモリカード６内のディレクトリを構成することでファイルの配置を把握する。無線装置２によるファイルのメモリカード６への書き込みは、ステップ４１２でメモリデータライト要求を中継装置２にした後、ファイルを構成するメモリデータとＦＡＴ情報を構成するメモリデータとを順次中継装置１に転送することで行われる。中継装置１は無線装置２から発行されたメモリデータライト要求に対して、ステップ７０２でメモリカード６にメモリデータの書き込みを行い、ステップ４２２でその成否を応答する。
【００３３】
本シーケンス例においては、ステップ５０２にて、端末装置３が割り込みでメモリカード６に対するファイルデータ書き込みを中継装置１を介して行う。これに対して、中継装置１のメモリカード制御機能部１４は前述の如く端末装置３のメモリカード６へのデータ書き込みを検知し、これを装置機能部１３に知らせる。その後、中継装置２はステップ４１２にて無線装置２からのメモリデータライト要求４１２を受け取ると、ステップ４２３にて装置機能部１３からデータ書き換え通知を中継装置２に応答する。中継装置２はこのデータ書き換え通知を受け取ると、ステップ４１１で、メモリデータリード要求を中継装置１に送信し、中継装置１を介してメモリカード６からＦＡＴ情報を読み出して取得する。これにより、中継装置１とメモリカード６とのＦＡＴ情報の整合性が保持され、以降も、中継装置１はメモリカード６に対するファイルデータの読み書きを正常に行うことができる。尚、上記したメモリデータライト要求とデータ書き換え通知のフレーム構成例は図４に示す如くである。
【００３４】
本実施形態によれば、端末装置３が中継装置１を介してメモリカード６にデータを書き込むと、中継装置１はこれを検出して無線装置２に通知する。これを受けた無線装置２は中継装置１を介してメモリカード６から最新のＦＡＴ情報を再取得することにより、端末装置３のメモリカード６に対するデータ書き込み後も、メモリカード６に対するファイルデータの読み書きを常に正常に行うことができる。
【００３５】
（第２の実施の形態）
図５は、本発明の第２の実施形態に係る記憶システムの全体的な動作を説明するシーケンス図である。本シーケンスのステップ５００からステップ５０２までの動作は図３に示した第１の実施形態のそれと同様である。しかし、本記憶システムの中継装置１の装置機能部１３は、端末装置３のメモリカード６に対するデータ書き込み（ステップ５０２）の検知がなされた場合に、ステップ４２３で即座に無線装置２にデータ書き換えの通知を送信するところが異なる。
【００３６】
本実施形態によれば、第１の実施形態のシーケンス例では、無線装置２が中継装置１に対してデータリード／ライトの制御を行う際に、端末装置３のメモリカード６に対するデータ書き込み検知通知が送信されるのに対して、無線装置２が中継装置１に対してデータリード／ライト制御を行っていない場合にも、前記検知通知を直ちに送信するため、無線装置２はファイルシステムの再起動処理をデータリード／ライト制御中に行わなくて済むため、無線装置２のメモリカード６に対するデータリード／ライト動作の再起動処理による遅延を避けることができる。他の効果は第１の実施形態と同様である。
【００３７】
（第３の実施の形態）
図６は、本発明の第３の実施形態に係る記憶システムの構成を示したブロック図である。本実施形態の記憶システムは、記憶装置４が端末装置３に有線接続されると共に、無線装置２に無線接続されている。記憶装置４はメモリデバイス１６を内蔵し、このメモリデバイス１６へのファイルデータの読み書きを制御するメモリカード制御機能１５を有している以外は、第１の実施形態で説明した中継装置と同様の構成を有している。
【００３８】
図７は、記憶装置４のメモリデバイス制御機能部１５の詳細構成例を示したブロック図である。メモリデバイス制御機能部１５はデータリード／ライト機能部１５１、インターフェース機能部１５２、スイッチ１５３を有している。
【００３９】
データリード／ライト機能部１５１は、メモリデバイス１６に対してデータのリード／ライトの制御を行う機能部である。一般的な記憶装置（メモリカード）においては、メモリデバイス１６はフラッシュメモリである。したがって、メモリデバイス１６とデータリード／ライト機能部１５１とのインターフェース１０１は、フラッシュメモリにアクセスするための物理インターフェースである。またスイッチ１５３とデータリード／ライト機能部１５１のインターフェース機能部１５０２は、データリード／ライトを行う論理的な制御インターフェースである。
【００４０】
インターフェース制御部１５２は、端末装置３から記憶装置１に対するメモリカードインターフェース５のディジタル制御信号を解析し、データリード／ライト機能部１５１へデータリード／ライトを行う論理的な制御インターフェース１５０１に変換する機能部である。本構成においてデータの書き込み検知は、このインターフェース制御部１５２において行われ、データ書き込みが検知された場合には装置機能部１３に対して通知１０２を与える。
【００４１】
スイッチ１５３は、装置機能部１３からデータリード／ライト機能部１５１に対する論理的な制御インターフェース１００と制御インターフェース１５０１とを切り換え、データリード／ライト機能部１５１と直結する論理制御インターフェース１５０２と接続する。
【００４２】
以上の構成によって、メモリデバイス制御機能部１５のインターフェース制御部１５２は、端末装置３からメモリデバイス１６へのデータの書き込みを検知した場合に、装置機能部１３にデータの書き込み通知１０２を送出する。これにより、装置機能部１３はデータ書き換え通知を通信制御部１２、ＲＦ機能部１１を介して無線装置２に送信する。
【００４３】
本実施例もその動作は、第１又は第２の実施形態で示した図３又は図５に示したシーケンス動作のいずれかと同様であり、同様の効果がある。
【００４４】
尚、本発明は上記実施形態に限定されることなく、その要旨を逸脱しない範囲において、具体的な構成、機能、作用、効果において、他の種々の形態によっても実施することができる。例えば中継装置１又は記憶装置４と無線装置２間の無線通信方式はＢｌｕｅｔｏｏｔｈなどの各種方式が適用でき、また、赤外線などを用いた無線通信でも良い。
【図面の簡単な説明】
【００４５】
【図１】本発明の第１の実施形態に係る記憶システムの構成を示したブロック図である。
【図２】図１で示したメモリカード制御機能部の詳細構成例を示したブロック図である。
【図３】図１に示した記憶システムの動作手順を示したシーケンス図である。
【図４】メモリデータライト要求とデータ書き換えを通知するフレームの構成例を示した図である。
【図５】本発明の第２の実施形態に係る記憶システムの動作手順を説明するシーケンス図である。
【図６】本発明の第３の実施形態に係る記憶システムの構成を示したブロック図である。
【図７】図６に示した記憶装置のメモリデバイス制御機能部の詳細構成例を示したブロック図である。
【図８】従来の中継装置を用いた記憶システムの簡略構成を示したブロック図である。
【図９】従来の記憶装置を用いた記憶システムの簡略構成を示したブロック図である。
【符号の説明】
【００４６】
１……中継装置、２……無線装置、３……端末装置、４……記憶装置、５……有線インターフェース、６……メモリカード、８……無線回線、１１、２１……ＲＦ機能部、１２、２２……通信制御機能部、１３……装置機能部、１４、１５、３２……メモリカード制御機能部、１６……メモリデバイス、２３……ホスト機能部、３１……端末機能部、１４１、１５１……データリード／ライト機能部、１４２……データ書き込み検知機能部、１４３、１５３……スイッチ、１５２……インターフェース制御部。
【図１】
2007114998.tif 000003
【図２】
2007114998.tif 000004
【図３】
2007114998.tif 000005
【図４】
2007114998.tif 000006
【図５】
2007114998.tif 000007
【図６】
2007114998.tif 000008
【図７】
2007114998.tif 000009
【図８】
2007114998.tif 000010
【図９】
2007114998.tif 000011